【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
物体側より順に、負の屈折力を有する第１レンズ群と、正の屈折力を有する第２レンズ群と、正の屈折力を有する第３レンズ群よりなり、
無限遠物点合焦時における広角端から望遠端への変倍に際して、各レンズ群の間隔を変化させつつ、前記第２レンズ群が物体側へのみ移動し、かつ、前記第３レンズ群は前記第２レンズ群とは異なる軌跡で移動し、
前記第１レンズ群は、非球面を含む負レンズ及び正レンズの２枚のレンズで構成され、
前記第２レンズ群は、物体側レンズ成分と像側レンズ成分の２つのレンズ成分からなり、その中一方のレンズ成分は正レンズと負レンズの接合レンズ成分、他方のレンズ成分は正の単レンズのみからなり、かつ、前記物体側レンズ成分の物体側面が非球面で構成され、
前記第３レンズ群は、１つの正屈折力を持つレンズ成分からなり、
前記第２レンズ群の物体側レンズ成分が以下の条件を満足することを特徴とするズームレンズ。
（１）    ０．６＜Ｒ2FR ／Ｒ2FF ＜１．０
ただし、Ｒ2FF 、Ｒ2FR はそれぞれ第２レンズ群の物体側レンズ成分の物体側面及び像側面における光軸上の曲率半径である。
【請求項２】
前記第２レンズ群の前記像側レンズ成分が、以下の条件を満足することを特徴とする請求項１記載のズームレンズ。
（５）    −１．５＜（Ｒ2RF ＋Ｒ2RR ）／（Ｒ2RF −Ｒ2RR ）＜０．０５
ただし、Ｒ2RF 、Ｒ2RR はそれぞれ第２レンズ群の像側レンズ成分の物体側の面及び像側の面の光軸上での曲率半径である。
【請求項３】
前記第２レンズ群の前記像側レンズ成分が前記接合レンズ成分で構成され、以下の条件を満足することを特徴とする請求項１記載のズームレンズ。
（５）    −１．５＜（Ｒ2RF ＋Ｒ2RR ）／（Ｒ2RF −Ｒ2RR ）＜０．０５
（６）    ０．０１＜ｎ2RN −ｎ2RP ＜０．２
（７）    １０＜ν2RP −ν2RN 
ただし、Ｒ2RF 、Ｒ2RR はそれぞれ第２レンズ群の像側レンズ成分の物体側の面及び像側の面の光軸上での曲率半径、ｎ2RP 、ｎ2RN はそれぞれ第２レンズ群の像側レンズ成分の正レンズ及び負レンズにおけるｄ線での屈折率、ν2RP 、ν2RN はそれぞれ第２レンズ群の像側レンズ成分の正レンズ及び負レンズにおけるｄ線基準でのアッベ数である。
【請求項４】
前記第３レンズ群における前記正レンズ成分は、以下の条件を満足することを特徴とする請求項１から３の何れか１項記載のズームレンズ。
（８）    −１．０＜（Ｒ3F＋Ｒ3R）／（Ｒ3F−Ｒ3R）＜１．０
ただし、Ｒ3F、Ｒ3Rはそれぞれ第３レンズ群の正レンズ成分における物体側面及び像側面の光軸上の曲率半径である。
【請求項５】
前記第３レンズ群は正の単レンズ１枚からなることを特徴とする請求項４記載のズームレンズ。
【請求項６】
前記第３レンズ群は屈折面が全て球面から構成されていることを特徴とする請求項１から５の何れか１項記載のズームレンズ。
【請求項７】
無限遠物点合焦時における広角端から望遠端への変倍に際して、前記第３レンズ群が像側に凸の軌跡で移動することを特徴とする請求項１から６の何れか１項記載のズームレンズ。
【請求項８】
前記第１レンズ群における前記負レンズおよび前記正レンズが、以下の条件を満足することを特徴とする請求項１から７の何れか１項記載のズームレンズ。
（９）    ２０＜ν11−ν12
（10）    −１０＜（Ｒ13＋Ｒ14）／（Ｒ13−Ｒ14）＜−２．０
ただし、ν11は第１レンズ群の負レンズのｄ線基準アッベ数、ν12は第１レンズ群の正レンズのｄ線基準アッベ数、Ｒ13、Ｒ14はそれぞれ第１レンズ群の正レンズの物体側面及び像側面の光軸上の曲率半径である。
【請求項９】
前記第１レンズ群と前記第２レンズ群との間に絞りを配したことを特徴とする請求項１から８の何れか１項記載のズームレンズ。
【請求項１０】
変倍時に前記絞りが前記第２レンズ群と一体で移動することを特徴とする請求項９記載のズームレンズ。
【請求項１１】
前記第３レンズ群の移動により近距離物点への合焦を行うことを特徴とする請求項１から１０の何れか１項記載のズームレンズ。
【請求項１２】
請求項１から１１の何れか１項記載のズームレンズと、その像面側に配された撮像素子とを備えたことを特徴とする電子撮像装置。
【請求項１３】
前記撮像素子の有効撮像領域の対角長Ｌが以下の条件を満足することを特徴とする請求項１２記載の電子撮像装置。
３．０ｍｍ＜Ｌ＜１２．０ｍｍ
【請求項１４】
前記ズームレンズの前記第１レンズ群が、物体側から順に、空気間隔を挟んで非球面を有する負レンズ、正レンズの２枚のレンズにて構成され、以下の条件を満足することを特徴とする請求項１２又は１３記載の電子撮像装置。
（11）    ０．２＜ｄ11／Ｌ＜０．６５
ただし、ｄ11は第１レンズ群の負レンズと正レンズの光軸上での空気間隔、Ｌは撮像素子の有効撮像領域の対角長である。
【請求項１５】
ズームレンズ及びその像側に配された撮像素子を備えた電子撮像装置において、
前記ズームレンズは、物体側より順に、負の屈折力を有する第１レンズ群と、正の屈折力を有する第２レンズ群と、正の屈折力を有する第３レンズ群よりなり、
無限遠物点合焦時における広角端から望遠端への変倍に際して、各レンズ群の間隔を変化させつつ、前記第２レンズ群が物体側へのみ移動し、かつ、前記第３レンズ群は前記第２レンズ群とは異なる軌跡で移動し、
前記第１レンズ群は、非球面を含む負レンズ及び正レンズの２枚のレンズで構成され、
前記第２レンズ群は、物体側レンズ成分と像側レンズ成分の２つのレンズ成分からなり、前記物体側レンズ成分は正レンズと負レンズの接合レンズ成分、前記像側レンズ成分は正の単レンズのみからなり、かつ、前記物体側レンズ成分の物体側面が非球面で構成され、
前記第３レンズ群は、１つの正屈折力を持つレンズ成分からなり、
前記第２レンズ群の物体側レンズ成分が以下の条件を満足することを特徴とする電子撮像装置。
（１）    ０．６＜Ｒ2FR ／Ｒ2FF ＜１．０
（２）    ０＜Ｌ／Ｒ2FC ＜１．０
（３）    ０．０１＜ｎ2FN −ｎ2FP ＜０．２
（４）    ν2FN ＜２６．５
ただし、Ｒ2FF 、Ｒ2FR はそれぞれ第２レンズ群の物体側レンズ成分の物体側面及び像側面における光軸上の曲率半径、Ｒ2FC は第２レンズ群の物体側レンズ成分の接合面における光軸上の曲率半径、ｎ2FP 、ｎ2FN はそれぞれ第２レンズ群の物体側レンズ成分の正レンズ及び負レンズにおけるｄ線での屈折率、ν2FN は第２レンズ群の物体側レンズ成分の負レンズにおけるｄ線基準でのアッベ数、Ｌは撮像素子の有効撮像領域の対角長である。
【請求項１６】
前記第２レンズ群の像側レンズ成分が以下の条件を満足することを特徴とする請求項１５記載の電子撮像装置。
（５）    −１．５＜（Ｒ2RF ＋Ｒ2RR ）／（Ｒ2RF −Ｒ2RR ）＜０．０５
ただし、Ｒ2RF 、Ｒ2RR はそれぞれ第２レンズ群の像側レンズ成分の物体側の面及び像側の面の光軸上での曲率半径である。
【請求項１７】
前記第３レンズ群における前記正レンズ成分は、以下の条件を満足することを特徴とする請求項１５又は１６記載の電子撮像装置。
（８）    −１．０＜（Ｒ3F＋Ｒ3R）／（Ｒ3F−Ｒ3R）＜１．０
ただし、Ｒ3F、Ｒ3Rはそれぞれ第３レンズ群の正レンズ成分における物体側面及び像側面の光軸上の曲率半径である。
【請求項１８】
前記第３レンズ群は正の単レンズ１枚からなることを特徴とする請求項１７記載の電子撮像装置。
【請求項１９】
前記第３レンズ群は屈折面が全て球面から構成されていることを特徴とする請求項１５から１８の何れか１項記載の電子撮像装置。
【請求項２０】
無限遠物点合焦時における広角端から望遠端への変倍に際して、前記第３レンズ群が物体側に凸の軌跡で移動することを特徴とする請求項１５から１９の何れか１項記載の電子撮像装置。
【請求項２１】
前記第１レンズ群における前記負レンズおよび前記正レンズが、以下の条件を満足することを特徴とする請求項１５ないし２０の何れか１項記載の電子撮像装置。
（９）    ２０＜ν11−ν12
（10）    −１０＜（Ｒ13＋Ｒ14）／（Ｒ13−Ｒ14）＜−２．０
ただし、ν11は第１レンズ群の負レンズのｄ線基準アッベ数、ν12は第１レンズ群の正レンズのｄ線基準アッベ数、Ｒ13、Ｒ14はそれぞれ第１レンズ群の正レンズの物体側面及び像側面の光軸上の曲率半径である。
【請求項２２】
前記第１レンズ群と前記第２レンズ群との間に絞りを配したことを特徴とする請求項１５から２１の何れか１項記載の電子撮像装置。
【請求項２３】
変倍時に前記絞りが前記第２レンズ群と一体で移動することを特徴とする請求項２２記載の電子撮像装置。
【請求項２４】
前記第３レンズ群の移動により近距離物点への合焦を行うことを特徴とする請求項１５から２３の何れか１項記載の電子撮像装置。
【請求項２５】
前記撮像素子の有効撮像領域の対角長Ｌが以下の条件を満足することを特徴とする請求項１５から２４の何れか１項記載の電子撮像装置。
３．０ｍｍ＜Ｌ＜１２．０ｍｍ
【請求項２６】
前記ズームレンズの第１レンズ群が、物体側から順に、空気間隔を挟んで非球面を有する負レンズ、正レンズの２枚のレンズにて構成され、以下の条件を満足することを特徴とする請求項１５から２５の何れか１項記載の電子撮像装置。
（11）    ０．２＜ｄ11／Ｌ＜０．６５
ただし、ｄ11は第１レンズ群の負レンズと正レンズの光軸上での空気間隔、Ｌは撮像素子の有効撮像領域の対角長である。